(57)【要約】【課題】吸引用モータの駆動時間だけでなく、電気掃除機本体に電源が通電されている時間又は電気掃除機本体の電源プラグが差し込まれた回数等の使用状態を管理することを可能にした電気掃除機を提供する。【解決手段】吸引用モータ１２に流れる電流を検出する電流検出手段１８と、電流検出手段１８により検出された電流値に基づいて、吸引用モータの入力電力を制御するための位相角値を求める演算手段３２と、演算手段３２にて求められた位相角値によって吸引用モータ１２を制御するための位相制御手段３４とを備えた電気掃除機において、不揮発性メモリ２２と、吸引用モータの動作時間を計測する第１のタイマ３６ａと、除機本体に電源が通電されている時間を計測する第２のタイマ３６ｂと、第１のタイマの計測時間及び第２のタイマの計測時間を不揮発性メモリ２２に書き込んで記憶させる書き込み手段３８とを備えたものである。【選択図】　　　　図１
2004000452.tif 000002
【特許請求の範囲】
【請求項１】
不揮発性メモリと、
吸引用モータの動作時間を計測する第１のタイマと、
電気掃除機本体に電源が通電されている時間を計測する第２のタイマと、
前記第１のタイマの計測時間及び前記第２のタイマの計測時間を前記不揮発性メモリに書き込んで記憶させる書き込み手段と
を備えたことを特徴とする電気掃除機。
【請求項２】
スイッチ部と、該スイッチ部のＯＮ操作を検出するスイッチ検出部を備え、前記スイッチ検出部の出力に基づいて前記第１のタイマの計測を開始させる演算手段を備えたことを特徴とする請求項１記載の電気掃除機。
【請求項３】
スイッチ部を備え、前記書き込み手段は、前記スイッチ部が停止操作をされたときに、前記第１のタイマの計測時間を前記不揮発性メモリに書き込むことを特徴とする請求項１記載の電気掃除機。
【請求項４】
吸引用モータに流れる電流を検出する電流検出手段を備え、前記書き込み手段は、前記電流検出手段の出力が無くなったときに、前記第１のタイマの計測時間を前記不揮発性メモリに書き込むことを特徴とする請求項１記載の電気掃除機。
【請求項５】
スイッチ部と表示部とを備え、更に、前記スイッチ部が所定の操作をされると、前記不揮発性メモリに書き込まれている前記第１のタイマの計測時間及び前記第２のタイマの計測時間の少なくとも何れか一方を前記表示部に表示させる演算手段を備えたことを特徴とする請求項１記載の電気掃除機。
【請求項６】
スイッチ部と、
不揮発性メモリと、
電気掃除機本体の電源プラグが差し込まれた回数を計測する第１のカウンタ及び前記スイッチ部のＯＮ操作の回数を計測する第２のカウンタ及びホースが電気掃除機より抜かれた回数を計測する第３のカウンタのうち少なくとも１以上のカウンタと、
該カウンタのカウント回数を前記不揮発性メモリに書き込んで記憶させる書き込み手段と
を備えたことを特徴とする電気掃除機。
【請求項７】
商用電源電圧のゼロクロス点を検出する電源同期検出手段を備え、前記書き込み手段は、前記電源同期検出手段からの出力が無くなったときに、前記カウンタの計測回数を前記不揮発性メモリに書き込むことを特徴とする請求項６記載の電気掃除機。
【請求項８】
スイッチ部と表示部とを備え、更に、前記スイッチ部が所定の操作をされると前記不揮発性メモリに書き込まれている前記第１のカウンタの計測回数及び前記第２のカウンタ及び前記第３のカウンタの計測回数のうち少なくとも一以上の計測回数を前記表示部に表示させる演算手段を備えたことを特徴とする請求項６記載の電気掃除機。
【請求項９】
不揮発性メモリと、
電気掃除機本体に電源が通電されている時間を計測する第２のタイマと、
吸い込み具の回転ブラシを駆動する電動モータの動作時間を計測する第３のタイマと、
前記第２のタイマ及び前記第３のタイマの計測時間を前記不揮発性メモリに書き込んで記憶させる書き込み手段と
を備えたことを特徴とする電気掃除機。
【請求項１０】
商用電源電圧のゼロクロス点を検出する電源同期検出手段を備え、前記書き込み手段は、前記電源同期検出手段からの出力が無くなったときに、前記第２のタイマの計測時間を前記不揮発性メモリに書き込むことを特徴とする請求項１又は９記載の電気掃除機。
【請求項１１】
前記電動モータに流れる電流を検出する電流検出手段を備え、前記書き込み手段は、前記電流検出手段の出力がなくなったときに、前記第３のタイマの計測時間を前記不揮発性メモリに書き込むことを特徴とする請求項９記載の電気掃除機。
【請求項１２】
前記書き込み手段は、データを前記不揮発性メモリに書き込む際に、書き込まれたデータを読み込んで、元のデータと対比して、一致していなければ再度書き込みを行うことを特徴とする請求項１〜１１のいずれかに記載の電気掃除機。
【発明の詳細な説明】
【０００１】
【発明の属する技術分野】
本発明は電気掃除機に関し、特に、吸引用モータの駆動時間等の管理に関する。
【０００２】
【従来の技術】
従来この種の電気掃除機においては、吸引用モータとして整流子電動機が用いられている。この整流子電動機は、ステータ側に駆動電流を供給するためのブラシが設けられている。ロータには整流子が設けられており、ブラシは整流子に弾性付勢されており、ブラシと整流子とは機械的に接触して、ステータ側に駆動電流が供給される。ロータの回転軸にはファンが接続されており、ロータの回転に伴ってファンも回転して、吸引用モータとしての機能を果たす。
【０００３】
電気掃除機の吸引用モータにおいては、ブラシと整流子とが機械的に接触しており、ロータの回転に伴って、ブラシは摩耗することとなるが、従来の電気掃除機においてはそのような摩耗の管理をしておらず、このため、故障が発生した場合に、ブラシが消耗したことが原因なのか、或いは他の要因によるものかを容易に判断することができなかった。
【０００４】
ところで、モータ等の通電時間を管理するものとして、乾燥機等のフィルタの清掃時期を管理するものがある（例えば特許文献１参照）。これは、モータの通電時間を不揮発性メモリに記憶させて、通電時間が所定値以上になった場合にはフィルタの目詰まりを報知するようにしている。
【０００５】
【特許文献１】
特開昭６２−２８９２１６号公報（７９，８０頁）
【０００６】
【発明が解決しようとする課題】
しかしながら、前記の特許文献１に開示されているものは、モータの通電時間しか記憶されておらず、フィルタの目詰まりしか報知できなく、また、不揮発性メモリへの書き込みも電源が遮断されたときにその電源電圧を検出して行っているので、信頼性に欠けるという問題点があった。
【０００７】
本発明は、このような問題点を解決するためになされたものであり、電気掃除機の吸引用モータの駆動時間だけでなく電気掃除機本体に電源が通電されている時間又は電気掃除機本体の電源プラグが差し込まれた回数等の使用状態を管理することを可能にした電気掃除機を提供することを目的とする。
【０００８】
【課題を解決するための手段】
本発明に係る電気掃除機は、不揮発性メモリと、吸引用モータの動作時間を計測する第１のタイマと、電気掃除機本体に電源が通電されている時間を計測する第２のタイマと、第１のタイマの計測時間及び第２のタイマの計測時間を不揮発性メモリに書き込んで記憶させる書き込み手段とを備えたものである。
【０００９】
【発明の実施の形態】
実施形態１．
図１は本発明の実施形態１に係る電気掃除機の回路構成図である。図において、１０は商用電源、１１は電源プラグ、１２は吸引用モータ、１４は双方向サイリスタであり、吸引用モータ１２及び双方向サイリスタ１４は直列に接続される。なお、吸引用モータ１２は、掃除機本体内に設けられた集塵室（図示せず）の後部に設けられる。また、１６は電源同期検出手段であり、商用電源１０の同期（ゼロクロス点）を検出する。１８は電流センサを備えた電流検出手段であり、吸引用モータ１２に流れる電流、即ち駆動電流を検出する。２０はマイクロコンピュータ、２２は不揮発メモリ（ＥＥＰＲＯＭ）であり、マイクロコンピュータ２０の演算処理に必要な各種のデータが格納される。２４はスイッチ部であり、例えばホースの手元部（図示せず）に設けられ、「強モード」、「弱モード」等の入力電力を選択するためのキーや、吸引用モータ１２の動作を停止させるための「切」のキー等が含まれる。２６は表示部であり、例えば運転モード（「強モード」、「弱モード」）等が表示される。
【００１０】
マイクロコンピュータ２０は、スイッチ検出部３０、演算手段３２、位相制御手段３４、タイマ３６及び書き込み手段３８の各機能を備えている。スイッチ検出部３０は、スイッチ部２４からの操作信号を入力すると、その操作信号を演算手段３２及び書き込み手段３８に出力する。演算手段３２は、吸引用モータ１２を操作信号に応じて制御するために位相角度値を求める等の各種の演算処理を行う。位相制御手段３４は、演算手段３２で求められた位相角度値と、電源同期検出手段１６の電源同期信号とに基づいて駆動パルス信号を生成して双方向サイリスタ１４を駆動する。タイマ３６には２個のタイマ３６ａ及び３６ｂが含まれており、タイマ３６ａは、本発明の第１のタイマの一例を示すものであり、吸引用モータ１２の駆動時間を計測する。タイマ３６ｂは、本発明の第２のタイマの一例を示すものであり、電気掃除機本体に電源が通電されている時間、即ち、電源プラグ１１が差し込まれている状態の時間を計測する。書き込み手段３８は、タイマ３６の計測時間を不揮発性メモリ２２に書き込むための処理を行う。
【００１１】
図２は吸引用モータ１２の動作時間を計測して不揮発性メモリ２２に書き込む際の処理を示したフローチャートである。この処理を開始すると（Ｓ１０１）、演算手段３２は、電流検出手段１８の出力を取り込んで、駆動電流の有無に基づいて吸引用モータ１２が動作中であるかどうかを判断する（Ｓ１０２）。演算手段３２はタイマ３６ａが既に計測を開始しているかどうかを判断し（Ｓ１０６）、まだ計測を開始していない場合には計測を開始させる（Ｓ１０７）。電気掃除機を操作して掃除を始めた状態では、上記の処理（Ｓ１０２）、（Ｓ１０６）及び（Ｓ１０７）がなされることになる。
【００１２】
また、電気掃除機のスイッチ部２４の操作して吸引用モータ１２が停止した状態では、演算手段３２は、電流検出手段１８の出力が無く、吸引用モータ１２が動作中ではないという判断をし（Ｓ１０２）、まだタイマ３６ａが計測中であるかどうかを判断する（Ｓ１０３）。そしてカウンタ３６ａが計測中であると判断された場合には、演算手段３２はタイマ３６ａ及び書き込み手段３８に対して次の処理を行わせる。タイマ３６ａは計測を停止し、書き込み手段３８はタイマ３６ａの計測時間をセットし（Ｓ１０４）、不揮発性メモリ２２に対してＥＥＰＲＯＭ処理を行い（Ｓ１０５）、終了する（Ｓ１０８）。なお、ＥＥＰＲＯＭ処理の詳細については後述の図４に基づいて説明する。
【００１３】
ところで、上記の処理（Ｓ１０２）においては、電流検出手段１８の出力を取り込んで、駆動電流の有無に基づいて吸引用モータ１２が動作中であるかどうかを判断したが、スイッチ部２４の操作内容に基づいて判断してよい。例えばスイッチ部２４がＯＮされた時に吸引用モータ１２の動作が開始されたとしてタイマ３６ａの計測を開始し、「切」のキーが操作された場合には吸引用モータ１２が停止していると判断してもよい。その場合には、演算手段３２はスイッチ検出部３０の検出信号に基づいてその判断処理をすることになる。
【００１４】
図３は電気掃除機本体に電源が通電されている時間、即ち、電源プラグ１１が差し込まれている状態の時間を計測して不揮発性メモリ２２に書き込む際の処理を示したフローチャートである。演算手段３２は、この処理を開始すると（Ｓ２０１）、まず、電源同期検出手段１６の出力を取り込んで、その出力の有無に基づいて電気掃除機本体に電源が通電されているかどうかを判断する（Ｓ２０２）。電気掃除機本体に電源が通電されていると判断された場合には、演算手段３２はタイマ３６ｂが既に計測を開始しているかどうかを判断し（Ｓ２０５）、まだ計測を開始していない場合には計測を開始させる（Ｓ２０６）。電気掃除機の電源プラグ１１をコンセントに差し込んだ状態では、上記の処理（Ｓ２０１）、（Ｓ２０２）、（Ｓ２０５）及び（Ｓ２０６）がなされ、その後は、処理（Ｓ２０２）、（Ｓ２０５）及び（Ｓ２０６）が繰り返されてタイマ３６ｂの計測が継続することになる。
【００１５】
そして、電気掃除機の電源プラグ１１をコンセントから外した状態では、演算手段３２は、電源同期検出手段１６の出力が無く、電気掃除機本体に電源が通電されていないという判断をする（Ｓ２０２）。このような場合には、演算手段３２は書き込み手段３８に対して次の処理を行わせる。書き込み手段３８はタイマ３６ｂの計測時間をセットし（Ｓ２０３）、不揮発性メモリ２２に対してＥＥＰＲＯＭ処理を行い（Ｓ２０４）、終了する（Ｓ２０５）。なお、ＥＥＰＲＯＭ処理の詳細については後述の図４に基づいて説明する。
【００１６】
図４は上記の処理（Ｓ１０４）及び（Ｓ２０４）のＥＥＰＲＯＭ処理の詳細を示したフローチャートである。なお、ここでは不揮発性メモリ２２にＥＥＰＲＯＭを用いた例について説明する。書き込み手段３８は、ＥＥＰＲＯＭ処理を開始すると（Ｓ３０１）、まず、タイマ３６（タイマ３６ａ、３６ｂ）の計測時間（データ）をＥＥＰＲＯＭに書き込む（Ｓ３０２）。続いて、そのＥＥＰＲＯＭに書き込まれた計測時間（データ）を読み込む（Ｓ３０３）。そして、ＥＥＰＲＯＭの書き込み値と、ＥＥＰＲＯＭの読み込み値とを比較する（Ｓ３０４）。両者が同じであるかどうかを判断し（Ｓ３０５）、同じであれば終了する（Ｓ３０８）。また、両者が同じでないと判断された場合には（Ｓ３０５）、両者が同じでないという判断が例えば２度目であるかどうかを判断し（Ｓ３０６）、２度目ではない、即ち１度目である場合には上記の処理（Ｓ３０２）〜（Ｓ３０６）を繰り返す。そして、両者が同じでないという判断が２度目である場合には（Ｓ３０６）、タイマ３６（タイマ３６ａ、３６ｂ）の計測時間（データ）をＥＥＰＲＯＭに書き込み（Ｓ３０７）、それが正しく書き込まれたかどうかを問わず終了する（Ｓ３０８）。
【００１７】
上記のＥＥＰＲＯＭ処理においては、書き込んだデータを読み込んで元のデータと対比して、正しく書き込まれたかどうかをチェックするようにしているので、データの信頼性が高いものになっている。なお、上述のようにしてデータが不揮発性メモリ２２に書き込まれた後に、再び、電源プラグ１１がコンセントに差し込まれると、演算手段３２は不揮発性メモリ２２に書き込まれている計測時間を読み込んで、タイマ３６ａ，３６ｂにその計測時間を初期値として設定し、爾後の計測に備えることとなる。この初期値の設定は後述の実施形態においても同様になされる。
【００１８】
図５は不揮発性メモリ（ＥＥＰＲＯＭ）２２に書き込まれた計測時間を表示部２６に表示させるための処理を示したフローチャートである。演算手段３２は、まず、表示処理を開始すると（Ｓ４０１）、現在計測時間を表示中であるかどうかを判断し（Ｓ４０２）、表示中でない場合には、次にキー入力があるかどうかを判断する（Ｓ４０３）。ここでは、例えばスイッチ部２４の切キーが５回押され、強モードが１回押されるという操作が、２回繰り返された場合にキー入力があるという判断がなされる。このように既存のスイッチを利用し、且つ、他の操作と混同しないような条件を設定している。
【００１９】
キー入力があった場合には、不揮発性メモリ２２に書き込まれている計測時間（吸引モータの駆動時間、電気掃除機本体に電源が通電された時間）を読み込んで表示部２６に表示させる（Ｓ４０４）。そして、演算手段３２はスイッチ部２４の切キーが入力されたかどうかを判断し（Ｓ４０５）、切キーが入力されている場合には表示消去処理をして、計測時間の表示を取りやめる（Ｓ４０６）。以上のように、例えばスイッチ部２４を所定の操作をして計測時間を表示部２６に表示させ、切キーを操作することにより計測時間の表示を取りやめて、処理を終了する（Ｓ４０７）。
【００２０】
なお、上記においては、計測時間（吸引モータの駆動時間、電気掃除機本体に電源が通電された時間）の両方を同時に表示しているが、それぞれ別々に表示させるようにしてもよい。その場合には、スイッチ部２４の操作方法をそれぞれ異なったものにすればよい。また、予めブラシの消耗時間を不揮発性メモリ（ＥＥＰＲＯＭ）２２に記憶させ、吸引用モータ１２の動作時間がその設定された時間に到達した場合には、表示部２６にその旨を表示させるとともに、吸引用モータ１２を停止させる（再起動させても吸引用モータを動作させない）ことにより、完全にブラシが消耗する前に、吸引用モータを停止させることができる。ブラシが完全に消耗すると、若干の異臭及び発煙現象につながるが、前記のような処理をすることでそのような現象を回避することができる。
【００２１】
以上のように本実施形態１によれば、吸引用モータの駆動時間及び電気掃除機本体に電源が通電された時間をそれぞれ計測している。従来は市場からの修理品の中にはブラシの寿命ということで返却される製品があったが、これまでは、その不良が寿命によるものなのか、ブラシ自体の不具合（異物混入、組立不良など）によるものか判断ができなかったが、吸引モータの駆動時間を計測することによりその判断が可能になっている。また、電気掃除機本体に電源が通電された時間を計測しているので、ユーザーが実際に何時間電源を投入していたのか分かり、そのデータを収集することにより、実使用におけるモータの動作時間・停止時間が分かり、使用実態を把握することができる。使用実態が把握できることで、それを今後の製品開発に生かすことができる。
【００２２】
また、本実施形態１においては、吸引用モータの駆動時間を書き込むタイミングは駆動電流の有無又はスイッチ部２４の操作信号に基づいている。従来の前記特許文献１に開示されているものでは電圧を検出する方式を採用しているので、電源保持用のコンデンサの容量は必然的に大きなものなるが、本実施形態１においてはそのような方式を採用しておらず、このとき電源電圧は供給されている状態にあるので、電源保持用のコンデンサの容量は小さなもので済むし、また、電源保持用のコンデンサが寿命で容量が減少している場合においても駆動時間を確実に書き込むことができる。
【００２３】
また、本実施形態１においては、電気掃除機本体に電源が通電された時間を不揮発性メモリ２２に書き込むタイミングは、電源同期検出手段１６の出力に基づいている。電源同期検出手段１６は双方向サイリスタ１４の制御には必須のものであり、従来から装備されているものであり、それを利用することができ、新たに電圧検出回路などを設定する必要がない。また、本実施形態１においては、電源同期信号の有無に基づいており、電源電圧の有無に基づくものではないので、電源保持用のコンデンサの容量は小さなもので済む。
【００２４】
実施形態２．
図６は本発明の実施形態２に係る電気掃除機の回路構成図である。図６の実施形態２に係る電気掃除機の回路構成は、マイクロコンピューター２０の中にカウンタ６０が備えられていることを除き、図１の実施形態１の回路構成と同一である。
カウンタ６０には３個のカウンタ６０ａ及び６０ｂ及び６０ｃが含まれている。カウンタ６０ａは、本発明の第２のカウンタの一例を示すものであり、スイッチ部２４の吸引用モータ１２のスイッチのＯＮ回数を計測する。カウンタ６０ｂは、本発明の第３のカウンタの一例を示すものであり、スイッチ部２４が設置されているホースが電気掃除機より抜かれたときの回数を計測する。カウンタ６０ｃは、本発明の第１のカウンタの一例を示すものであり、電気掃除機本体に電源が通電された回数、即ち、電源プラグが差し込まれた回数を計測する。なお、本実施形態２は、前記３個すべてのカウンタが備えられた場合であるが、これらのカウンタのうち１個又は２個を備えたものでもよい。書き込み手段３８は、タイマ３６の計測時間及びカウンタ６０の計測回数を不揮発性メモリ２２に書き込むための処理を行う。
【００２５】
図７はスイッチ部２４のＯＮ操作の回数を計測して不揮発性メモリ２２に書き込む際の処理を示したフローチャートである。この処理を開始すると（Ｓ５０１）、演算手段３２はスイッチ検出部３０の出力を取り込んで、スイッチ部２４が押されたかどうかの判断を行う（Ｓ５０２）。この処理は、実際にスイッチ部がＯＦＦの状態からＯＮの状態になったときだけスイッチが押されたと判断する。スイッチ部が押されたと判断された場合には、演算手段３２は、スイッチＯＮ回数を１増やし（Ｓ５０３）、スイッチＯＮ回数の書き込み値をセットする（Ｓ５０４）。スイッチＯＮ回数の書き込み値がセットされると、演算手段３２は、電源同期検出手段１６の出力を取り込んで、電源の同期があるかどうか、即ち電源プラグが差し込まれているかどうかの判断を行う（Ｓ５０５）。電源の同期があると判断された場合には処理を終了する（Ｓ５０８）。
【００２６】
スイッチ部２４がＯＮ操作がされていない、即ちＯＦＦの状態からＯＮの状態に切り替わっていない場合は、ＯＮ状態であっても演算手段３２はスイッチが押されていないと判断する（Ｓ５０２）。そして演算手段３２は、電源同期検出手段１６の出力を取り込んで、電源の同期があるかどうかを判断する（Ｓ５０５）。電源の同期がある場合には、そのまま終了する（Ｓ５０８）。また、このとき電源プラグが抜かれて電源の同期がない場合には、演算手段３２は電源の同期がないと判断して（Ｓ５０５）、ＥＥＰＲＯＭ処理を行いスイッチ部２４のＯＮ回数を不揮発性メモリに書き込み（Ｓ５０６）、カウンタ６０ａをクリアして（Ｓ５０７）、終了する（Ｓ５０８）。なお、ＥＥＰＲＯＭ処理は図４の実施形態１と同様に行う。
電源プラグ１１を差し込んだ状態で、スイッチ部２４が押されていないときは上記の処理（Ｓ５０２）、（Ｓ５０５）及び（Ｓ５０８）がなされる。電源プラグ１１が差し込まれた状態で、スイッチ部２４が押されたときは、処理（Ｓ５０２）、（Ｓ５０３）、（Ｓ５０４）及び（Ｓ５０８）がなされる。また、電源プラグ１１が抜かれた直後では、処理（Ｓ５０２）、（Ｓ５０５），（Ｓ５０６）、（Ｓ５０７）及び（Ｓ５０８）がなされることになる。
【００２７】
図８はスイッチ部２４を設置したホースを抜いた回数を計測して不揮発性メモリ２２に書き込む際の処理を示したフローチャートである。この処理を開始すると（Ｓ６０１）、演算手段３２はスイッチ検出部３０の出力を取り込んで、ホースが抜かれたかどうかの判断を行う（Ｓ６０２）。この処理は実際にホースが電気掃除機本体から抜かれたときだけホースが抜かれたと判断する。ホースが抜かれたと判断された場合には、演算手段３２は、ホースを抜いた回数を１増やし（Ｓ６０３）、ホースを抜いた回数の書き込み値をセットする（Ｓ６０４）。ホースを抜いた回数の書き込み値がセットされると、演算手段３２は、電源同期検出手段１６の出力を取り込んで、電源の同期があるかどうか、即ち電源プラグが差し込まれているかどうかの判断を行う（Ｓ６０５）。電源の同期があると判断された場合には処理を終了する（Ｓ６０８）。
【００２８】
ホースが電気掃除機から抜かたとき以外は、ホースを抜いた状態であっても演算手段３２はホースが抜かれていないと判断する（Ｓ６０２）。そして演算手段３２は、電源同期検出手段１６の出力を取り込んで、電源の同期があるかどうかを判断する（Ｓ６０５）。電源の同期がある場合にはそのまま終了する（Ｓ６０８）。また、このとき電源プラグが抜かれて電源の同期がない場合には、電源の同期がないと判断して（Ｓ６０５）、ＥＥＰＲＯＭ処理を行いスイッチ部のＯＮ回数を不揮発性メモリに書き込み（Ｓ５０６）、カウンタ６０ｂをクリアして（Ｓ６０７）、終了する（Ｓ６０８）。なお、ＥＥＰＲＯＭ処理は図４の実施形態１と同様に行う。
電源プラグ１１を差し込んだ状態で、ホースが抜かれたとき以外は上記の処理（Ｓ６０２），（Ｓ６０５）及び（Ｓ６０８）がなされる。電源プラグ１１が差し込まれた状態で、ホースが抜かれたときは処理（Ｓ６０２）、（Ｓ６０３）、（Ｓ６０４）及び（Ｓ６０８）がなされる。また、電源プラグ１１が抜かれた直後では、処理（Ｓ６０２）、（Ｓ６０５）、（Ｓ６０６）、（Ｓ６０７）及び（Ｓ６０８）がなされることになる。
【００２９】
図９は電気掃除機本体に電源が通電された回数、即ち電源プラグ１１が差し込まれた回数を計測して不揮発性メモリ２２に書き込む際の処理を示したフローチャートである。この処理を開始すると（Ｓ７０１）、演算手段３２は電源同期検出手段１６の出力を取り込んで、電源の同期があるかどうかの判断を行う（Ｓ７０２）。電源の同期があると判断された場合には、演算手段３２は既に電源を差し込んだ回数に１が加算されているかどうかを判断し（Ｓ７０３）、まだ加算されていない場合には、演算手段３２は、電源を差し込んだ回数に１を加算し（Ｓ７０４）、電源プラグ１１が差し込まれた回数の書き込み値をセットする（Ｓ７０５）。スイッチＯＮ回数の書き込み値がセットされると、演算手段３２は、電源同期検出手段１６の出力を取り込んで、電源の同期があるかどうか、即ち電源プラグが差し込まれているかどうかの判断を行う（Ｓ７０６）。電源の同期があると判断された場合には処理を終了する（Ｓ７０９）。
【００３０】
電源の同期がない場合、即ち電源プラグが外れた状態では、演算手段３２は電源の同期がないと判断する（Ｓ７０２）。また、電源の同期があっても電源プラグ１１を差し込んだ回数に既に１が加算されている場合には、演算手段３２は既にカウンタ６０ｃに１が加算されていると判断する（Ｓ７０３）。そして演算手段３２は、電源同期検出手段の出力を取り込んで、電源の同期があるかどうかを判断する（Ｓ７０６）。電源の同期がある場合には、そのまま終了する（Ｓ７０９）。また、このとき電源プラグが抜かれて電源の同期がない場合には、演算手段３２は電源の同期がないと判断し（Ｓ７０６）、ＥＥＰＲＯＭ処理を行い電源プラグの差し込まれた回数を不揮発性メモリに書き込み（Ｓ７０７）、カウンタ６０ｃをクリアして（Ｓ７０８）、終了する（Ｓ７０９）。なお、ＥＥＰＲＯＭ処理は図４の実施形態１と同様に行う。
電源プラグ１１を差し込んだ直後には、上記の処理（Ｓ７０２）、（Ｓ７０３）、（Ｓ７０４）、（Ｓ７０５）及び（Ｓ７０９）がなされる。電源プラグ１１を差し込んでしばらく経った状態では、処理（Ｓ７０２）、（Ｓ７０３）、（Ｓ７０６）及び（Ｓ７０９）がなされる。また電源プラグ１１が抜かれた直後では、処理（Ｓ７０２），（Ｓ７０６），（Ｓ７０７），（Ｓ７０８），（Ｓ７０９）がなされることになる。
【００３１】
不揮発性メモリ（ＥＥＰＲＯＭ）２２に書き込まれたスイッチ部２４のＯＮ回数及び電気掃除機本体に電源が通電された回数及びホースを抜いた回数の計測回数を表示部２６に表示させる処理は図５の実施形態１と同様に行う。
【００３２】
以上のように本実施形態２によれば、吸引用モータの駆動時間及び電気掃除機本体に電源が通電された時間及びスイッチ部をＯＮした回数及びスイッチ部を設置したホースの抜き差し回数及び電源プラグを差し込んだ回数をそれぞれ計測しており、またその計測回数を不揮発性メモリに書き込んで記憶させるようにしている。従来は市場からの修理品の中にはブラシの寿命ということで返却される製品があったがこれまでは、その不良が寿命によるものなのか、ブラシ自体の不具合（異物混入、組立不良など）によるものか判断が出来なかったが、吸引用モータの駆動時間を計測することによりその判断が可能になっている。
また電気掃除機本体に電源が通電された時間と、電源プラグが差し込まれた回数を計測しているので、ユーザーが実際に１回の掃除にて何時間電源を投入して、何時間モータを通電していたのかが分かり、そのデータを収集することにより、実使用における１回の掃除でのモータの動作時間・停止時間が分かり使用実態を把握することが出来る。使用実態を把握することで、それを今後の製品開発に生かすことが出来る。
また従来は市場からの返却品の中には、本体が切キーを押していないのに停止するということで返却される製品があったが、ホースと本体を接続する接点部の不具合か、それともその他の不具合かが判断できなかったが、ホースが接続部より離れた場合に回数を計測することによりその判断が可能になっている。
また、ユーザーがどれくらい抜き差しするかの使用実態の把握も可能になり、ホース抜き差し寿命等の開発のデータ等に役立てることが出来る。
また、スイッチのＯＮ回数の把握することにより、ユーザーがどのくらいスイッチのＯＮ・ＯＦＦ動作を行うかの使用実態の把握が可能になり、スイッチＯＮ・ＯＦＦ寿命等の開発データ等に役立てることができる。
【００３３】
実施形態３．
図１０は本発明の実施形態３に係る電気掃除機の回路構成図である。７０は吸い込み具に搭載された回転ブラシを回転させる駆動モータ、７１は前記駆動モータを制御する双方向サイリスタであり、回転ブラシ駆動用モータ７０及び双方向サイリスタ７１は直列に接続される。なお、回転ブラシ駆動用モータ７０には整流子電動機を使用している。また、７２は電流センサを備えた電流検出手段であり、回転ブラシ駆動用モータ７０に流れる電流を検出する。マイクロコンピュータ２０の中には、駆動パルス信号を生成して双方向サイリスタ７１を駆動するためのモータ制御手段７３とタイマ３６が備えられている。タイマ３６にはタイマ３６ｂ及び３６ｃが含まれている。タイマ３６ｂは、本発明の第２のタイマの一例を示すものであり、電気掃除機本体に電源が通電されている時間を計測する。タイマ３６ｃは、本発明の第３のタイマの一例を示すものであり、回転ブラシ駆動用モータ７０の駆動時間を計測する。なお、タイマ３６ｂは図３の実施形態１と同様に電気掃除機本体に電源が通電されている時間を計測する。その他の回路構成は、図１の実施形態１の回路構成と同じである。
【００３４】
図１１は吸い込み具（図示せず）の回転ブラシ（図示せず）を駆動する電動モータ（図示せず）の動作時間を計測して不揮発性メモリ２２に書き込む際の処理を示したフローチャートである。この処理を開始すると（Ｓ８０１）、演算手段３２は、電流検出手段７２の出力を取り込んで、駆動電流の有無に基づいて回転ブラシ駆動用モータ７０が動作中であるかどうかを判断する（Ｓ８０２）。演算手段３２はタイマ６１が既に計測を開始しているかどうかを判断し（Ｓ８０６）、まだ計測を開始していない場合には計測を開始させる（Ｓ８０７）。回転ブラシを操作して掃除を始めた状態では、上記の処理（Ｓ８０１）、（Ｓ８０２）、（Ｓ８０６）及び（Ｓ８０７）がなされることになる。
【００３５】
また、電気掃除機のスイッチ部２４を操作して回転ブラシ駆動用モータ７０が停止した状態では、演算手段３２は、電流検出手段７２の出力がなく、回転ブラシ駆動用モータ７０が動作中ではないという判断をし（Ｓ８０２）、まだタイマ３６ｃが計測中であるかどうかを判断する（Ｓ８０３）。そしてカウンタ３６ｃが計測中であると判断された場合には、演算手段３２はタイマ３６ｃ及び書き込み手段３８に対して次の処理を行わせる。タイマ３６ｃは計測を停止し、書き込み手段３８はタイマ６１の計測時間をセットし（Ｓ８０３）、不揮発性メモリ２２に対してＥＥＰＲＯＭ処理を行い（Ｓ８０４）、終了する（Ｓ８０７）。なおＥＥＰＲＯＭ処理は図４の実施形態１と同様に行う。
【００３６】
以上のように実施形態３によれば、電気掃除機本体に電源が通電されている時間及び回転ブラシ駆動用モータの駆動時間を計測しており、その計測時間を不揮発性メモリに記憶させるようにしている。従来は市場からの修理品の中には整流子電動機のブラシの寿命ということで返却される製品があったがこれまでは、その不良が寿命によるものなのか、整流子電動機のブラシ自体の不具合（異物混入、組立不良など）によるものか判断できなかったが、電気掃除機本体に電源が通電されている時間及び回転ブラシ駆動用モータの駆動時間を計測することによりその判断が可能になっていて、そのデータを収集することにより、実使用におけるモータの動作時間が分かり、使用実態を把握することが出来る。使用実態が把握できることでそれを今後の製品開発に生かすことができる。
また今回は、回転ブラシ駆動用モータの時間計測を行ったが、将来的には吸い込み具に搭載される電気部品の使用時間、使用回数等も計測できるようにすることもできる。
【００３７】
【発明の効果】
以上のように本発明によれば、第１のタイマにより吸引用モータの動作時間を計測し、第２のタイマにより電気掃除機本体に電源が通電されている時間を計測し、第１のタイマの計測時間及び第２のタイマの計測時間を不揮発性メモリに書き込んで記憶させるようにし、吸引用モータの動作時間と掃除機の使用時間の両方を記憶するようにしているので、これらの時間を管理することが可能になっている。このため、故障等でモータの動作が停止した場合には、ブラシが消耗して動作が停止したのか、他の要因によるものなのか容易に想定できる。また、ブラシの消耗に対しても、整流不良による異常磨耗なのか、自然磨耗なのかも容易に想定して修理を行うことができるので、精度のよい修理をすることができる。更に、実使用におけるモータの動作時間・停止時間が分かり、使用実態を把握することができ、今後の製品開発に生かすことができる。
【図面の簡単な説明】
【図１】本発明の実施形態１に係る電気掃除機の回路構成図である。
【図２】図１の電気掃除機の吸引用モータの駆動時間を計測して不揮発性メモリに書き込む際の処理を示したフローチャートである。
【図３】図１の電気掃除機本体に電源が通電されている時間を計測して不揮発性メモリ書き込む際の処理を示したフローチャートである。
【図４】図２及び図３のＥＥＰＲＯＭの処理の詳細を示したフローチャートである。
【図５】不揮発性メモリ（ＥＥＰＲＯＭ）に書き込まれた計測時間を表示部に表示させるための処理を示したフローチャートである。
【図６】本発明の実施形態２に係る電気掃除機の回路構成図である。
【図７】図６の電気掃除機のスイッチのＯＮ回数を計測して不揮発性メモリに書き込む際の処理を示したフローチャートである。
【図８】図６の電気掃除機のホースを抜いた回数を計測して不揮発性メモリに書き込む際の処理を示したフローチャートである。
【図９】図６の電気掃除機の電源プラグを差し込んだ回数を計測して不揮発性メモリに書き込む際の処理を示したフローチャートである。
【図１０】本発明の実施形態３に係る電気掃除機の回路構成図である。
【図１１】図７の回転ブラシ駆動用モータの駆動時間を計測して不揮発性メモリに書き込む際の処理を示したフローチャートである。
【符号の説明】１０　商用電源、１１　電源プラグ、１２　吸引用モータ、１４　双方向サイリスタ、１６　電源同期検出手段、１８　電流検出手段、２０　マイクロコンピュータ、２２　不揮発性メモリ、２４　スイッチ部、２６　表示部、３０　スイッチ検出部、３２　演算手段、３４　位相制御手段、３６　タイマ、３６ａ　タイマ、３６ｂ　タイマ、３６ｃ　タイマ、３８　書き込み手段、６０　カウンタ、６０ａ　カウンタ、６０ｂ　カウンタ、６０ｃ　カウンタ、７０　回転ブラシ駆動用モータ、　７１　双方向サイリスタ、７２　電流検出手段、７３　モータ制御手段。
【図１】
2004000452.tif 000003
【図２】
2004000452.tif 000004
【図３】
2004000452.tif 000005
【図４】
2004000452.tif 000006
【図５】
2004000452.tif 000007
【図６】
2004000452.tif 000008
【図７】
2004000452.tif 000009
【図８】
2004000452.tif 000010
【図９】
2004000452.tif 000011
【図１０】
2004000452.tif 000012
【図１１】
2004000452.tif 000013